(57)【要約】本発明の実施例は駆動機構、カメラモジュール及び電子機器に関し、前記駆動機構は、駆動アセンブリ、可動アセンブリ及び固定アセンブリを含む。駆動アセンブリは、弾性導体部材、閉回路及び磁性部材を含む。ここで、閉回路が磁場を横切ることで発生した電磁力は、弾性導体部材の弾力を克服することで、弾性導体部材に接続される可動アセンブリを駆動する。磁性部材は、２つがあり、２つの磁性部材は前記固定アセンブリの対向する両端に組み立てられる。弾性導体部材は、２つがあり、且つ可動アセンブリの対向する両端に嵌合される。【選択図】なし
2021509967.tif 000002
【特許請求の範囲】
【請求項１】
カメラモジュールに適用される駆動機構であって、
駆動アセンブリと、固定アセンブリと、可動アセンブリとを含み、前記駆動アセンブリは、弾性導体部材と、閉回路と、磁性部材とを含み、
前記閉回路は、前記磁性部材で発生した磁場に位置し、前記閉回路が前記弾性導体部材と連通することにより、前記弾性導体部材の弾力を克服する電磁力を発生し、
前記弾性導体部材は、前記固定アセンブリに固着され、且つ前記可動アセンブリに当接して嵌合し、前記電磁力は、前記弾力を克服することにより、前記弾性導体部材が、焦点合わせ機能において、前記固定アセンブリに対して運動するように前記可動アセンブリを駆動する、前記駆動機構。
【請求項２】
前記磁性部材は２つがあり、２つの前記磁性部材は前記固定アセンブリの対向する両端に組み立てられることを含むことを特徴とする
請求項１に記載の駆動機構。
【請求項３】
前記弾性導体部材は２つがあり、且つ前記可動アセンブリの対向する両端に嵌合することを特徴とする
請求項１に記載の駆動機構。
【請求項４】
前記固定アセンブリはハウジング及び蓋を含み、前記ハウジングと蓋は、密閉嵌合されて組み立てスペースを構成し、前記駆動アセンブリ及び可動アセンブリは前記組み立てスペース内に設けられることを特徴とする
請求項１に記載の駆動機構。
【請求項５】
前記可動アセンブリが前記ハウジングの少なくとも一部と嵌合することによって収容部を構成し、前記駆動アセンブリは前記収容部内に組み立てられることを特徴とする
請求項４に記載の駆動機構。
【請求項６】
カメラモジュールであって、
請求項１−５のいずれか一項に記載の駆動機構と、
前記可動アセンブリに組み立てられる感光チップと、
前記固定アセンブリに組み立てられるレンズアセンブリとを含む、前記カメラモジュール。
【請求項７】
前記感光チップは感光本体と前記感光本体に接続される回路基板とを含み、前記感光本体の位置は、前記レンズアセンブリと位置的に対応し、前記閉回路は前記回路基板に電気的に接続されることを特徴とする
請求項６に記載のカメラモジュール。
【請求項８】
前記回路基板の材質は、フレキシブルな材質であることを特徴とする
請求項７に記載のカメラモジュール。
【請求項９】
前記固定アセンブリは、ハウジング及び蓋を含み、前記蓋は前記ハウジングに嵌合される本体部と、前記感光チップの感光本体に対応する肉抜き部とを含み、前記カメラモジュールのレンズアセンブリは前記蓋の外部に組み立てられ、且つ前記肉抜き部と密閉嵌合されることを特徴とする
請求項６に記載のカメラモジュール。
【請求項１０】
電子機器であって、
機器本体と、
前記機器本体に組み立てられる請求項１−５のいずれか一項に記載の駆動機構、又は
前記機器本体に組み立てられる請求６−９のいずれか一項に記載のカメラモジュールとを含む、前記電子機器。
【発明の詳細な説明】
【技術分野】
【０００１】
（関連出願の相互参照）
本出願は、２０１８年１１月２１日に出願された中国特許第２０１８１１３９０５９０．８に基づき提出されたものであり、該中国特許の優先権を主張し、その全体をここに参考として援用する。
【０００２】
本発明は電子技術分野に関し、特に駆動機構、カメラモジュール及び電子機器に関する。
【背景技術】
【０００３】
関連技術において、例えば携帯電話等の電子機器のカメラは一般的には固定焦点カメラと自動焦点カメラに分けられる。ここで、固定焦点カメラのレンズと感光チップとの距離は決まっており、固定焦点距離による撮影のみを実現でき、撮影効果がユーザの要求を満たすことが困難である。自動焦点カメラは一般的には、駆動モータによって、固定された感光チップに対してレンズを運動させることにより実現されるものである。
【０００４】
しかしながら、カメラ性能の向上に伴い、レンズの厚さ、体積及び質量も大きくなる。駆動力の要件を満たすために、対応する駆動モータも大きくなるため、カメラ及び電子機器全体の厚さ、体積及び質量が増大する。
【０００５】
従って、カメラの自動焦点機能及び撮影品質を確保する上でカメラの軽量性を如何に向上させるかは本技術分野で注目されている研究課題となる。
【発明の概要】
【発明が解決しようとする課題】
【０００６】
本発明の実施例は、駆動機構、カメラモジュール及び電子機構を提供することによって、駆動機構、カメラモジュール及び電子機構の軽量性を向上させるとともに、カメラモジュール及び電子機器の撮影効果を向上させる。
【課題を解決するための手段】
【０００７】
本発明の実施例の第１態様によれば、駆動機構を提供し、前記駆動機構は、駆動アセンブリ、固定アセンブリ及び可動アセンブリを含み、前記駆動アセンブリは、弾性導体部材、閉回路及び磁性部材を含み、
前記閉回路は前記磁性部材で発生した磁場に位置し、前記閉回路が前記弾性導体部材と連通することにより、前記弾性導体部材の弾力を克服する電磁力を発生し、
前記弾性導体部材は、前記固定アセンブリに固着され、且つ前記可動アセンブリに当接して嵌合し、前記電磁力は、前記弾力を克服することにより、前記弾性導体部材が、焦点合わせ機能において、前記固定アセンブリに対して運動するように前記可動アセンブリを駆動する。
【０００８】
任意選択的に、前記磁性部材は、２つがあり、２つの前記磁性部材は前記固定アセンブリの対向する両端に組み立てられる。
【０００９】
任意選択的に、前記弾性導体部材は、２つがあり、且つ前記可動アセンブリの対向する両端に嵌合される。
【００１０】
任意選択的に、前記固定アセンブリはハウジング及び蓋を含み、前記ハウジングと蓋は、密閉嵌合されて組み立てスペースを構成し、前記駆動アセンブリ及び可動アセンブリは前記組み立てスペース内に設けられる。
【００１１】
任意選択的に、前記可動アセンブリが前記ハウジングの少なくとも一部と嵌合することによって収容部を構成し、前記駆動アセンブリは前記収容部内に組み立てられる。
【００１２】
本発明の実施例の第２態様によれば、カメラモジュールを提供し、前記カメラモジュールは、
上記駆動機構と、
前記可動アセンブリに組み立てられる感光チップと、
前記固定アセンブリに組み立てられるレンズアセンブリとを含む。
【００１３】
任意選択的に、前記感光チップは、感光本体及び前記感光本体に接続される回路基板を含み、前記感光本体の位置は前記レンズアセンブリと位置的に対応し、前記閉回路は前記回路基板に接続される。
【００１４】
任意選択的に、前記回路基板の材質は、フレキシブルな材質である。
【００１５】
任意選択的に、前記固定アセンブリは、ハウジング及び蓋を含み、前記蓋は前記ハウジングに嵌合される本体部と、前記感光チップの感光本体に対応する肉抜き部とを含み、前記カメラモジュールのレンズアセンブリは前記蓋の外部に組み立てられ、且つ前記肉抜き部と密閉嵌合される。
【００１６】
本発明の実施例の第３態様によれば、電子機器を提供し、前記電子機器は、
機器本体と、
前記機器本体に組み立てられる上記駆動機構、
又は、前記機器本体に組み立てられる上記カメラモジュールとを含む。本発明の実施例により提供される技術的解決手段は以下の有益の効果を含む。
【発明の効果】
【００１７】
本発明の実施例において、駆動機構の駆動アセンブリに弾性導体部材、閉回路及び磁性部材を設けることによって、閉回路が磁場を横切ることで発生した電磁力を、弾性導体部材の弾力を克服するようにすることで、弾性導体部材に接続される可動アセンブリを駆動する。上記電磁駆動による構造の設置は実現しやすく、且つ駆動機構全体の軽量性を向上させる。また、カメラモジュールの感光チップを可動アセンブリに組み立て、レンズアセンブリを固定アセンブリに組み立てることによって、カメラモジュールが体積及び質量の小さい感光チップの移動により自動焦点合わせを実現できるようになり、体積及び質量の大きいレンズアセンブリが静止のまま維持され、駆動機構の電力及び体積を減少させ、カメラモジュール及び電子機器の撮影効果及び全体の軽量性を向上させる。
【００１８】
上記の一般的な記述及び以下の細部に関する記述は、例示及び説明のためのものに過ぎず、本発明の実施例を限定するものではないことが理解されるべきである。
【図面の簡単な説明】
【００１９】
【図１】本発明の例示的な実施例によるカメラモジュールの立体構造を示す模式図である。
【図２】本発明の例示的な実施例によるカメラモジュールの断面構造を示す模式図である
【図３】本発明の例示的な実施例による駆動機構の断面構造を示す模式図である。
【図４】本発明の例示的な実施例による駆動機構の立体構造を示す模式図である。
【図５】本発明の別の例示的な実施例によるカメラモジュールの断面構造を示す模式図である。
【図６】本発明の例示的な実施例による駆動機構の分解構造を示す模式図である。
【図７】本発明の例示的な実施例によるカメラモジュールの分解構造を示す模式図である。
【発明を実施するための形態】
【００２０】
添付の図面は本明細書に組み込まれており、その一部を構成し、明細書と共に本発明の実施例の原理を解釈するために用いられる。
【００２１】
ここで、例示的な実施例を詳しく説明し、その例を図面に示す。下記の記述は図面にに言及する場合、特に示されない限り、異なる図面における同一の数字は、同一又は類似の要素を表す。下記例示的な実施例に説明される実施形態は、本発明の実施例と一致する全ての実施形態を表すものではない。逆に、それらは添付の特許請求の範囲に詳しく説明されているもの、本発明の実施例の一部の態様と一致する装置及び方法の示例に過ぎない。
【００２２】
関連技術において、例えば携帯電話等の電子機器のカメラは一般的には固定焦点カメラと自動焦点カメラに分けられる。ここで、固定焦点カメラのレンズと感光チップとの距離は決まっており、固定焦点距離による撮影のみを実現でき、ユーザの要求を満たす撮影効果を取得しにくい。自動焦点カメラは一般的には、モータを駆動してレンズの相対的に固定される感光チップを運動させることにより実現されるものである。カメラ特性の向上に伴い、レンズの厚さ、体積及び質量も大きくなる。駆動力の要件を満たすために、対応する駆動モータも大きくなる。
【００２３】
これから分かるように、上記固定焦点カメラはユーザの撮影要件を満たしにくく、自動焦点カメラのレンズ、モータの体積及び質量の増加は、カメラ及び電子機器全体の厚さ、体積及び質量の増加を引き起こす。
【００２４】
図１は本発明の例示的な実施例によるカメラモジュールの立体構造を示す模式図であり、図２は本発明の例示的な実施例によるカメラモジュールの断面構造を示す模式図である。図１、図２に示すように、前記カメラモジュール１は、駆動機構１３、感光チップ１２及びレンズアセンブリ１１を含む。ここで、駆動機構１３は、駆動アセンブリ１３１、固定アセンブリ１３３及び可動アセンブリ１３２を含む。感光チップ１２は可動アセンブリ１３２に組み立てられ、レンズアセンブリ１１は固定アセンブリ１３３に組み立てられる。前記駆動アセンブリ１３１は、可動アセンブリ１３２に嵌合され、それによって、焦点合わせ機能で可動アセンブリ１３２を駆動して固定アセンブリ１３３に対して運動する。
【００２５】
ここで、図３、図４に示すように、前記駆動アセンブリ１３１は、弾性導体部材１３１１、閉回路１３１２及び磁性部材１３１３を含む。ここで、前記弾性導体部材１３１１は、固定アセンブリ１３３に固着され、且つ前記可動アセンブリ１３２に当接して嵌合する。前記磁性部材１３１３は、レンズアセンブリ１１の光軸方向に垂直な磁場を発生することができる。閉回路１３１２は、磁性部材１３１３によって発生した磁場に位置し、前記弾性導体部材１３１１と連通し、閉回路１３１２の電源が入れられてから磁場を横切って電磁力を発生する。前記電磁力は、弾性導体部材１３１１の弾力を克服し、弾性導体部材１３１１に当接して嵌合する可動アセンブリ１３２を光軸方向に沿って上下に移動させる。この場合、可動アセンブリ１３２に組み立てられる感光チップ１２は、可動アセンブリ１３２に伴い、レンズアセンブリ１１の光軸方向に沿って上下に移動し、且つ静止のままのレンズアセンブリ１１と協力して自動焦点合わせ機能を実現することができる。
【００２６】
閉回路１３１２が磁場を横切ることで発生した電磁力は、弾性導体部材１３１１の弾力を克服し、更に弾性導体部材１３１１に接続される可動アセンブリ１３２を駆動することができる。上記電磁駆動による構造の設置は制御しやすく、且つ可動アセンブリ１３２に組み立てられる感光チップ１２の変位の精度を向上させ、更に、焦点合わせ精度、撮影効果及び駆動機構１３全体の軽量性を向上させる。
【００２７】
カメラモジュール１の感光チップ１２を可動アセンブリ１３２に組み立て、レンズアセンブリ１１を固定アセンブリ１３３に組み立てることによって、カメラモジュール１が体積及び質量の小さい感光チップ１２の移動により自動焦点合わせを実現できるようになり、体積及び質量の大きいレンズアセンブリ１１が静止のまま維持され、駆動機構１３の電力及び体積を減少させ、カメラモジュール１及び電子機器の撮影効果及び全体の軽量性を向上させる。
【００２８】
なお、閉回路１３１２における電流方向を制御することで電磁力の方向を変えることにより、方向の異なる電磁力を取得することができる。電磁力の方向を変える場合、上下の二方向における弾力を克服することにより、可動アセンブリ１３２の上下移動を実現する。
【００２９】
上記実施例において、前記磁性部材１３１３及び閉回路１３１２はそれぞれ２つ存在してもよい。２つの磁性部材１３１３は固定アセンブリ１３３の対向する両端に組み立てられ、レンズアセンブリ１１の光軸方向に垂直な磁場を発生する。２つの閉回路１３１２はいずれも上記磁場に設けられる。固定アセンブリ１３３の両端に設けられる磁性部材１３１３は、固定アセンブリ１３３の中心領域における組み立てスペースの占有を避け、スペースの利用率を向上させる。又は、前記磁性部材１３１３及び閉回路１３１２は複数群存在してもよい。複数群の磁性部材１３１３は固定アセンブリ１３３のいずれかの部位に設けられ、閉回路１３１２と協力して磁場切断を実現できることを基準とし、本発明の実施例は、磁性部材１３１３及び閉回路１３１２の数及び位置を制限するものではない。
【００３０】
なお、前記磁性部材１３１３は磁石であってもよいし、磁場を発生できる他のものであってもよく、本発明の実施例はこれを限定するものではない。前記閉回路１３１２は、感光チップ１２に電気的に接続されて電流を取得するコイルであってもよい。又は、閉回路１３１２のために電源を単独して設けてもよく、本発明の実施例はこれを限定するものでもない。例えば、図５に示すように、前記感光チップ１２は、感光チップ本体１２１と、感光チップ本体１２１に接続される回路基板１２２とを含み、前記コイルは回路基板１２２に電気的に接続されて電流を取得し、前記感光チップ１２の位置はレンズアセンブリ１１と位置的に対応して入射光線をセンシングする。ここで、前記回路基板１２２の材質はフレキシブルな材質であり、材料の選択及び折り曲げプロセスにより回路基板１２２の応力を無くし、感光チップ１２の運動によるフレキシブルな基板の機能への影響を避けることができる。
【００３１】
また、前記弾性導体部材１３１１は２つ存在してもよく、２つの弾性導体部材１３１１を可動アセンブリ１３２の対向する両端に嵌合することにより、弾性導体部材１３１１と可動アセンブリ１３２との当接嵌合における安定性を向上させ、電磁力により弾力を克服する時の可動アセンブリ１３２の揺れ及び損傷を避ける。又は、可動アセンブリ１３２の運動中の安定性を向上させるように、駆動アセンブリ１３１に複数の弾性導体部材１３１１を設けてもよい。本発明の実施例はこれを限定するものではない。
【００３２】
なお、前記弾性導体部材１３１１は金属材質のバネであってもよく、構造が簡単で、且つ構造の強度が高い。又は、前記弾性導体部材１３１１として弾性を有する他の導体材質を用いてもよく、本発明の実施例はこれを限定するものではない。
【００３３】
電子機器に適用されるカメラモジュール１が一般的には精密デバイスを含むため、埃又は異物等はいずれもカメラモジュール１及び電子機器の機能に大きな影響を与える。従って、カメラモジュール１の封止性は、それ自体及び電子機器にとって極めて重要なものである。以下に、実施例を参照してカメラモジュール１の全体構造の設置を例示的に説明する。
【００３４】
前記固定アセンブリ１３３はハウジング及び蓋１３３３を含み、前記ハウジングと蓋１３３３は、密閉嵌合されて組み立てスペースを構成し、前記駆動アセンブリ１３１及び可動アセンブリ１３２は前記組み立てスペース内に設けられる。具体的には、可動アセンブリ１３２はハウジング内に設けられ、ハウジングと嵌合することによって収容部１３４を構成し、前記駆動アセンブリ１３１は前記収容部１３４内に組み立てられる。ハウジングを駆動機構１３の静止部分とし、可動アセンブリ１３２をハウジング内に設けることによって、駆動機構１３の美観性を向上させ、一方で駆動機構１３全体の厚さを減少させる。駆動部材１３１をハウジングと可動アセンブリ１３２で構成される収容部１３４に組み立てることによって駆動部材１３１の封止を実現し、埃等の異物による駆動アセンブリ１３１の動作に対する干渉を避ける。特に磁力による駆動方式を用いる場合、埃等の異物による磁場及び電磁誘導効果に対する干渉を避け、電磁力の制御精度及び焦点合わせの精度を向上させることができる。
【００３５】
上記実施例において、図６に示すように、前記ハウジングは上ハウジング１３３１及びベース１３３２を含むことにより、駆動機構１３自体の組立及び駆動機構１３と感光チップ１２との嵌合を容易にする。具体的には、磁性部材１３１３を上ハウジング１３３１内の対応する位置に組み立て、閉回路１３１２を可動アセンブリ１３２に組み立てる。更に溶接などの方式で弾性導体部材１３１１とベース１３３２上の金属部材を固着し、弾性導体部材１３１１と可動アセンブリ１３２を当接させて嵌合させる。最後に上ハウジング１３３１とベース１３３２を組み立てることで駆動機構１３全体の組立を実現する。
【００３６】
更に、図７に示すように、前記蓋１３３３は本体部１３３３ａ及び肉抜き部１３３３ｂを含む。本体部１３３３ａはハウジングと密閉嵌合し、肉抜き部１３３３ｂは感光チップ１２の感光本体１２１と密閉嵌合し、蓋１３３３の設置は駆動機構１３全体の封止効果を高める。前記可動アセンブリ１３２に、陥没した凹部１３２１が設けられてもよく、前記凹部１３２１は感光本体１２１を積載するために用いられる。感光本体１２１が凹部１３２１内に組み立てられる場合、駆動機構１３の厚さは感光チップ１２の厚さとマッチングし、駆動機構１３全体の厚さを減少させる。
【００３７】
前記実施例において、前記レンズアセンブリ１１は蓋１３３３の外部に組み立てられ、且つ蓋１３３３と密閉嵌合してもよい。ここで、レンズアセンブリ１１を接着用のり等の接着剤で蓋１３３３の外部に組み立て、駆動機構１３の封止効果を高めることができる。レンズアセンブリ１１が蓋１３３３の外部に組み立てられてから、レンズアセンブリ１１のみが駆動機構１３のハウジングから突き出る。カメラモジュール１全体の美観性を向上させ、一方でカメラモジュール１全体の厚さを減少させる。
【００３８】
本発明の実施例は、電子機器を更に提供し、前記電子機器は機器本体及び前記カメラモジュール１を含み、前記カメラモジュール１は前記機器本体に組み立てられる。
【００３９】
電子機器のカメラモジュール１に駆動機構１３を設け、カメラモジュール１の感光チップ１２を可動アセンブリ１３２に組み立て、レンズアセンブリ１１を固定アセンブリ１３３に組み立てる。ここで駆動機構１３の駆動アセンブリ１３１を可動アセンブリ１３２に嵌合することで、可動アセンブリ１３２が駆動機構１３により駆動されて固定アセンブリ１３３に対して運動するようにする。上記構造の設置により、カメラモジュール１が体積及び質量の小さい感光チップ１２の移動により自動焦点合わせを実現できるようになり、体積及び質量の大きいレンズアセンブリ１１が静止のまま維持され、駆動機構１３の電力及び体積を減少させ、カメラモジュール１及び電子機器の撮影効果及び全体の軽量性を向上させる。
【００４０】
なお、前記電子機器は携帯電話、コンピュータ等であってもよく、本発明の実施例はこれを限定するものではない。
【００４１】
当業者であれば、明細書を考慮してここで開示された技術的解決手段を実行した上で、本発明の実施例の他の実施形態を容易に想到しうる。本出願は、本発明の実施例の如何なる変形、用途又は適応変化を包含するものとし、これらの変形、用途又は適応変化は本発明の実施例の一般的な原理に従い、且つ本発明の実施例に開示されていない本技術分野における周知常識と慣用技術を含む。明細書及び実施例は例示的なもののみと見なし、本発明の実施例の真の範囲および精神は特許請求の範囲に示される。
【００４２】
本発明の実施例は以上に記述されて図面に示された正確な構造に限定されず、そその範囲から逸脱することなく様々な修正及び変更を加えることができることが理解されるべきである。本発明の実施例の範囲は添付の特許請求の範囲により制限される。
【産業上の利用可能性】
【００４３】
本発明の実施例は、駆動機構の駆動アセンブリに弾性導体部材、閉回路及び磁性部材を設けることによって、閉回路が磁場を横切ることで発生した電磁力を、弾性導体部材の弾力を克服するようにすることで、弾性導体部材に接続される可動アセンブリを駆動する。上記電磁駆動による構造の設置は実現しやすく、且つ駆動機構全体の軽量性を向上させる。また、カメラモジュールの感光チップを可動アセンブリに組み立て、レンズアセンブリを固定アセンブリに組み立てることによって、カメラモジュールが体積及び質量の小さい感光チップの移動により自動焦点合わせを実現できるようになり、体積及び質量の大きいレンズアセンブリが静止のまま維持され、駆動機構の電力及び体積を減少させ、カメラモジュール及び電子機器の撮影効果及び全体の軽量性を向上させる。
【図１】
2021509967.tif 000003
【図２】
2021509967.tif 000004
【図３】
2021509967.tif 000005
【図４】
2021509967.tif 000006
【図５】
2021509967.tif 000007
【図６】
2021509967.tif 000008
【図７】
2021509967.tif 000009
【国際調査報告】
2021509967.tif 000010
2021509967.tif 000011
2021509967.tif 000012
2021509967.tif 000013